(57)【要約】【課題】出力側の電子機器と入力側の電子機器とで行われているコンテンツ処理の状態をユーザに対しわかりやすく知らせることができるように表示し、ユーザが両機器が連携してコンテンツ処理を行っている状態にあることを確認できるようにする。【解決手段】コンテンツ入力部と、コンテンツの入力をする他の電子機器からその機種識別情報を取得する手段と、機種識別情報と動作情報とに基づいて処理種別情報を取得する手段と、取得した処理種別情報に基づいて機器状態情報をディスプレイに出力する手段とを有する電子機器を提供する。また、コンテンツ出力部と、コンテンツの出力をする相手側となる電子機器からその機種識別情報を取得する手段と、機種識別情報と動作情報とに基づいて処理種別情報を取得する手段と、取得した処理種別情報に基づいて機器状態情報をディスプレイに出力する手段とを有する他の電子機器を提供する。【選択図】図１
2008198284.tif 000002
【特許請求の範囲】
【請求項１】
他の電子機器からコンテンツを取得するためのコンテンツ入力部と、
前記コンテンツの入力をする他の電子機器からその電子機器の機種を識別する機種識別情報を取得する機種識別情報取得部と、
機種識別情報とコンテンツ入力部の動作情報とに基づいてコンテンツ処理の種別を示す情報である処理種別情報を取得する処理種別情報取得部と、
取得した処理種別情報に基づいて処理を説明する情報を含む機器状態情報をディスプレイに出力する機器状態情報出力部と、
を有する電子機器。
【請求項２】
他の電子機器からコンテンツを取得するためのコンテンツ入力部と、
前記コンテンツの入力をする他の電子機器からその電子機器の機能を識別する機能識別情報を取得する機能識別情報取得部と、
機能識別情報とコンテンツ入力部の動作情報とに基づいてコンテンツ処理の種別を示す情報である処理種別情報を取得する処理種別情報取得部と、
取得した処理種別情報に基づいて処理を説明する情報を含む機器状態情報をディスプレイに出力する機器状態情報出力部と、
を有する電子機器。
【請求項３】
機器状態情報出力部は、
コンテンツ入力部が受け入れたコンテンツの量を示す情報であるコンテンツ入力進捗情報を取得するコンテンツ入力進捗情報取得手段と、
前記取得したコンテンツ入力進捗情報に基づいてコンテンツ入力の状況をも示す機器状態情報である状況情報を出力する状況情報出力手段を有する請求項１又は２に記載の電子機器。
【請求項４】
他の電子機器からコンテンツを取得するための入力を行うコンテンツ入力ステップと、
前記他の電子機器からその電子機器の機種を識別する機種識別情報を取得する機種識別情報取得ステップと、
前記機種識別情報取得ステップにて取得した機種識別情報及び前記コンテンツ入力ステップにて入力したコンテンツに係る動作情報とに基づいてコンテンツ処理の種別を示す情報を取得する処理種別情報取得ステップと、
前記処理種別情報取得ステップにて取得した処理種別情報に基づいて処理を説明する情報を含む機器状態情報をディスプレイに出力する機器状態情報出力ステップと、
を有する電子機器のコンテンツ入力に係る機器状態情報の出力方法。
【請求項５】
他の電子機器からコンテンツを取得するための入力を行うコンテンツ入力ステップと、
前記他の電子機器からその電子機器の機能を識別する機能識別情報を取得する機能識別情報取得ステップと、
前記機能識別情報取得ステップにて取得した機能識別情報及び前記コンテンツ入力ステップにて入力したコンテンツに係る動作情報とに基づいてコンテンツ処理の種別を示す情報を取得する処理種別情報取得ステップと、
前記処理種別情報取得ステップにて取得した処理種別情報に基づいて処理を説明する情報を含む機器状態情報をディスプレイに出力する機器状態情報出力ステップと、
を有する電子機器のコンテンツ入力に係る機器状態情報の出力方法。
【請求項６】
コンテンツを出力するためのコンテンツ出力部と、
前記コンテンツの出力をする相手側となる電子機器からその電子機器の機種を識別する機種識別情報を取得する機種識別情報取得部と、
機種識別情報とコンテンツ出力部の動作情報とに基づいてコンテンツ処理の種別を示す情報である処理種別情報を取得する処理種別情報取得部と、
取得した処理種別情報に基づいて処理を説明する情報を含む機器状態情報をディスプレイに出力する機器状態情報出力部と、
を有する他の電子機器。
【請求項７】
コンテンツを出力するためのコンテンツ出力部と、
前記コンテンツの出力をする相手側となる電子機器からその電子機器の機能を識別する機能識別情報を取得する機能識別情報取得部と、
機能識別情報とコンテンツ出力部の動作情報とに基づいてコンテンツ処理の種別を示す情報である処理種別情報を取得する処理種別情報取得部と、
取得した処理種別情報に基づいて処理を説明する情報を含む機器状態情報をディスプレイに出力する機器状態情報出力部と、
を有する他の電子機器。
【請求項８】
機器状態情報出力部は、
コンテンツ出力部が出力したコンテンツの量を示す情報であるコンテンツ出力進捗情報を取得するコンテンツ出力進捗情報取得手段と、
前記取得したコンテンツ出力進捗情報に基づいてコンテンツ出力の状況をも示す機器状態情報である状況情報を出力する状況情報出力手段を有する請求項６又は７に記載の他の電子機器。
【発明の詳細な説明】
【技術分野】
【０００１】
本発明は、他の電子機器から取得する機種識別情報、機能識別情報に基づいて機器状態を出力する機能を備えた電子機器、及び当該電子機器と接続され、当該電子機器から取得する機種識別情報、機能識別情報に基づいて機器状態を出力する機能を備えたこれと接続される他の電子機器に関する。
【背景技術】
【０００２】
例えばテレビジョン装置が受信した放送コンテンツを録画装置に出力して当該録画装置が録画する場合のように、ある電子機器が他の電子機器からのコンテンツの出力を受けて入力を行うという処理は広く行われているところである。この場合において、出力側の機器が確かに出力を行っているかどうか、あるいは、入力側の機器が確かに入力を行っているかどうかは、例えば、各機器がディスプレイに表示する機器の動作状態を示す情報を見ることで、ユーザが確認することができる。このための手段として、例えば特許文献１には、画像データの送信状況を示す情報を表示する手段を備えた送信装置と、受信した画像データの受信状況を示す情報を表示する手段を備えた受信装置とが開示されている。
【特許文献１】特開２００５‐１２４０１６号公報
【発明の開示】
【発明が解決しようとする課題】
【０００３】
かかる従来の送信装置、受信装置などにおいては、出力側が確かに出力を行っていることと、入力側が確かに入力を行っていることを、それぞれ独立して確認できるだけであって、出力側と入力側が正しく連携して処理を行っているかどうかまで確認することはできなかった。しかし、近年電子機器やインターフェイスの機能が急速に向上・多様化し、例えば、同一の電子機器に他の複数の電子機器が接続されていることも稀ではなくなっている。このため、例えば他の電子機器から出力されたコンテンツを電子機器に入力して録画を行う場合であっても、他の電子機器（例えばテレビジョン装置）が受信した放送コンテンツを電子機器で一次的に録画する場合（以下「一次録画」という。）もあれば、他の電子機器（例えばＨＤＤレコーダ）に蓄積された録画済みコンテンツを二次的に録画する場合（以下「ダビング」という。）も考えられる。そこで、ユーザにとっては、現在他の電子機器で行っているコンテンツ処理、また電子機器で行っているコンテンツ処理がどのような状態にあるのか（例えば一時録画かダビングかなど）を知りたいというニーズが急速に高まっている。この場合、単に出力側の電子機器におけるコンテンツの出力状況が表示され、他方でこれとは独立した形で入力側の電子機器におけるコンテンツの入力状況が表示されるというだけでは、これらの入出力が互いに連携しているのかどうか、言い換えれば両機器が同じコンテンツ処理を行っている状態にあるのかどうかは、ユーザから見れば確認できない。このため、例えばユーザにしてみれば、出力側も出力状況を表示し、入力側も入力状況を表示しているので、出力側と入力側が正しく連携してコンテンツ処理がなされていると思って安心していたところ、実は出力側の機器は、別の機器に対して放送ストリームを一次録画のために出力している状態にあり、他方で入力側の電子機器は、全く異なる第三の機器から別の録画済みコンテンツのダビングを行っていたといったことも起こりかねない。従って、もし、出力側、入力側双方の電子機器が、それぞれ自らが行っているコンテンツ処理の状態をユーザが認識できる形で表示することができれば、ユーザとしては、例えば、両者の処理がダビングであることを示す表示を見ることで、両者が連携して処理を行っていることを確認して安心することができる。さらに、コンテンツの処理の状態に応じて、例えば一次録画であればそのコンテンツの内容をモニター画面に表示するとか、ダビングであれば進捗状況をグラフィカルに表示するといったようにこの状態に適した処理を行うことも可能となる。
【０００４】
そこで、本発明の解決すべき課題は、出力側の電子機器と入力側の電子機器とで行われているコンテンツ処理の状態をユーザに対しわかりやすく知らせることができるように表示し、もってユーザが両機器が連携してコンテンツ処理を行っている状態にあることを確認できるようにするために機器状態を出力する機能を備えた電子機器やこれと接続される他の電子機器を提供することにある。具体的には、出力側の電子機器と入力側の電子機器が互いの機種識別情報や機能識別情報をやりとりし、これらに基づく所定の処理を行うことで、それぞれの電子機器の機器状態を示す情報をディスプレイに出力する機能を備えた電子機器やこれと接続される他の電子機器を提供することにある。
【課題を解決するための手段】
【０００５】
以上の課題を解決するため、本発明のうち、請求項１に記載の発明は、他の電子機器からコンテンツを取得するためのコンテンツ入力部と、前記コンテンツの入力をする他の電子機器からその電子機器の機種を識別する機種識別情報を取得する機種識別情報取得部と、機種識別情報とコンテンツ入力部の動作情報とに基づいてコンテンツ処理の種別を示す情報である処理種別情報を取得する処理種別情報取得部と、取得した処理種別情報に基づいて処理を説明する情報を含む機器状態情報をディスプレイに出力する機器状態情報出力部とを有する電子機器を提供する。また、請求項２に記載の発明は、他の電子機器からコンテンツを取得するためのコンテンツ入力部と、前記コンテンツの入力をする他の電子機器からその電子機器の機能を識別する機能識別情報を取得する機能識別情報取得部と、機能識別情報とコンテンツ入力部の動作情報とに基づいてコンテンツ処理の種別を示す情報である処理種別情報を取得する処理種別情報取得部と、取得した処理種別情報に基づいて処理を説明する情報を含む機器状態情報をディスプレイに出力する機器状態情報出力部とを有する電子機器を提供する。また、請求項３に記載の発明は、機器状態情報出力部は、コンテンツ入力部が受け入れたコンテンツの量を示す情報であるコンテンツ入力進捗情報を取得するコンテンツ入力進捗情報取得手段と、前記取得したコンテンツ入力進捗情報に基づいてコンテンツ入力の状況をも示す機器状態情報である状況情報を出力する状況情報出力手段を有する請求項１又は２に記載の電子機器を提供する。
【０００６】
また、請求項４に記載の発明は、他の電子機器からコンテンツを取得するための入力を行うコンテンツ入力ステップと、前記他の電子機器からその電子機器の機種を識別する機種識別情報を取得する機種識別情報取得ステップと、前記機種識別情報取得ステップにて取得した機種識別情報及び前記コンテンツ入力ステップにて入力したコンテンツに係る動作情報とに基づいてコンテンツ処理の種別を示す情報である処理種別情報を取得する処理種別情報取得ステップと、前記処理種別情報取得ステップにて取得した処理種別情報に基づいて処理を説明する情報を含む機器状態情報をディスプレイに出力する機器状態情報出力ステップとを有する電子機器のコンテンツ入力に係る機器状態情報の出力方法を提供する。また、請求項５に記載の発明は、他の電子機器からコンテンツを取得するための入力を行うコンテンツ入力ステップと、前記他の電子機器からその電子機器の機能を識別する機能識別情報を取得する機能識別情報取得ステップと、前記機能識別情報取得ステップにて取得した機能識別情報及び前記コンテンツ入力ステップにて入力したコンテンツに係る動作情報とに基づいてコンテンツ処理の種別を示す情報である処理種別情報を取得する処理種別情報取得ステップと、前記処理種別情報取得ステップにて取得した処理種別情報に基づいて処理を説明する情報を含む機器状態情報をディスプレイに出力する機器状態情報出力ステップとを有する電子機器のコンテンツ入力に係る機器状態情報の出力方法を提供する。
【０００７】
また、請求項６に記載の発明は、コンテンツを出力するためのコンテンツ出力部と、前記コンテンツの出力をする相手側となる電子機器からその電子機器の機種を識別する機種識別情報を取得する機種識別情報取得部と、機種識別情報とコンテンツ出力部の動作情報とに基づいてコンテンツ処理の種別を示す情報である処理種別情報を取得する処理種別情報取得部と、取得した処理種別情報に基づいて処理を説明する情報を含む機器状態情報をディスプレイに出力する機器状態情報出力部とを有する他の電子機器を提供する。また、請求項７に記載の発明は、コンテンツを出力するためのコンテンツ出力部と、前記コンテンツの出力をする相手側となる電子機器からその電子機器の機能を識別する機能識別情報を取得する機能識別情報取得部と、機能識別情報とコンテンツ出力部の動作情報とに基づいてコンテンツ処理の種別を示す情報である処理種別情報を取得する処理種別情報取得部と、取得した処理種別情報に基づいて処理を説明する情報を含む機器状態情報をディスプレイに出力する機器状態情報出力部とを有する他の電子機器を提供する。また、請求項８に記載の発明は、機器状態情報出力部は、コンテンツ出力部が出力したコンテンツの量を示す情報であるコンテンツ出力進捗情報を取得するコンテンツ出力進捗情報取得手段と、前記取得したコンテンツ出力進捗情報に基づいてコンテンツ出力の状況をも示す機器状態情報である状況情報を出力する状況情報出力手段を有する請求項６又は７に記載の他の電子機器を提供する。
【発明の効果】
【０００８】
本発明により、出力側の電子機器と入力側の電子機器とで行われているコンテンツ処理の状態をユーザに対しわかりやすく知らせることができるように表示し、もってユーザが両機器が連携してコンテンツ処理を行っている状態にあることを確認できるようにするために機器状態を出力する機能を備えた電子機器やこれと接続される他の電子機器を提供することが可能となる。具体的には、出力側の電子機器と入力側の電子機器が互いの機種識別情報や機能識別情報をやりとりし、これらに基づく所定の処理を行うことで、それぞれの電子機器の機器状態を示す情報をディスプレイに出力する機能を備えた電子機器やこれと接続される他の電子機器を提供することが可能となる。また、これにより、コンテンツの処理の状態に応じて、例えば一次録画であればそのコンテンツの内容をモニター画面に表示するとか、ダビングであれば進捗状況をグラフィカルに表示するといったことに本発明を利用することも可能となる。
【発明を実施するための最良の形態】
【０００９】
以下に、本発明の実施例を説明する。実施例と請求項の相互の関係は以下のとおりである。実施例１は主に請求項１、請求項４、請求項６などに関し、実施例２は主に請求項２、請求項５、請求項７などに関し、実施例３は主に請求項３、請求項８などに関する。なお、本発明はこれら実施例に何ら限定されるものではなく、その要旨を逸脱しない範囲において、種々なる態様で実施しうる。
【実施例１】
【００１０】
<概要>
本実施例の電子機器は、他の電子機器からコンテンツを入力するための手段と、当該他の電子機器からその電子機器の機種を識別する機種識別情報を取得する手段と、機種識別情報とコンテンツ入力手段の動作情報とに基づいてコンテンツの処理の種別を示す情報（処理種別情報）を取得する手段と、取得した処理種別情報に基づいて処理を説明する情報を含む機器状態情報をディスプレイに出力する手段とを有する電子機器である。
また、本実施例の他の電子機器は、コンテンツを出力するための手段と、コンテンツの出力をする相手側となる電子機器からその機種識別情報を取得する手段と、機種識別情報とコンテンツ出力手段の動作情報とに基づいてコンテンツ処理の種別を示す情報（処理種別情報）を取得する手段と、取得した処理種別情報に基づいて処理を説明する情報を含む機器状態情報をディスプレイに出力する手段を有する他の電子機器である。
つまり、本実施例の電子機器とこれに接続される他の電子機器は、これらが互いに機種識別情報をやりとりすることで、双方が相手の機種と自身の動作情報に基づいて相手と連携して行うコンテンツ処理の種別を取得し、これに基づいて処理の説明を含む機器の状態をそれぞれのディスプレイに表示してユーザが比較できるようにディスプレイへの出力を行う機能を備えた点に特徴を有するものである。
【００１１】
はじめに、本実施例の電子機器、他の電子機器を含むコンテンツの入出力システムの概要を説明する。
図１は、本実施例の電子機器、他の電子機器を含む入出力システムの概要の一例を示す図である。本図の例では、入力側の機器である「電子機器」はＢＤ（Ｂｌｕ‐ｒａｙ  Ｄｉｓｃ）レコーダ０１００である。また、出力側の機器である「他の電子機器」は、一つはテレビジョン装置０１１０であり、他の一つはＨＤＤ（Ｈａｒｄ  Ｄｉｓｋ  Ｄｒｉｖｅ）レコーダ０１２０である。
【００１２】
まず、第一の例では、テレビジョン装置で受信したコンテンツをＢＤレコーダで録画する場合で説明する。この場合、（１）テレビジョン装置が放送波に含まれるコンテンツをアンテナ０１１２を介して受信し、（２）当該コンテンツをＢＤレコーダに対してｉ‐ＬＩＮＫなどのインターフェイス０１３０を介して出力する。その際テレビジョン装置は、（３）当該テレビジョン装置の機種を識別するための機種識別情報を同じくインターフェイスを介してＢＤレコーダに対して送信する。この機種識別情報の送信は、後に詳述するように、出力側と入力側が連携してコンテンツ処理を行っている状態にあることをユーザが認識できるように表示することを可能にするために行われるものである。また、テレビジョン装置は、コンテンツの出力にかかる動作情報に基づいて、今自身がどのような処理を行っているかを把握している。また、本図では省略しているが、テレビジョン装置もＢＤレコーダからＢＤレコーダの機種識別情報を取得する。そこで、（４）テレビジョン装置は、この自身の動作情報とＢＤレコーダから取得した機種識別情報に基づいて、自身の機器の状態（例えば受信した放送コンテンツをＢＤレコーダで一次録画するために出力している状態にあること）を自身のディスプレイ０１１１に表示するとともに、コンテンツの出力の進捗状況についてもディスプレイに表示する。また、上述のＢＤレコーダから取得した機種識別情報に基づいて出力先であるＢＤレコーダの機種もディスプレイに表示する。
一方、ＢＤレコーダは、（５）テレビジョン装置から出力されたコンテンツを取得して、これを録画（一次録画）する。またその際に、ＢＤレコーダは、上述のようにテレビジョン装置から送信された機種識別情報を取得するとともに、やはり自身の動作情報に基づいて今自身がどのような処理を行っているかを把握しているので、（６）この機種識別情報と動作情報に基づいて、上でテレビジョン装置について述べたのと同様、自身の機器の状態（例えば、放送コンテンツを一次録画している状態にあることのほか、どの機種から出力されたコンテンツを録画しているのか、どの程度録画が進捗しているのかといった状態）を例えば自身のディスプレイ０１０１に表示する。
以上の処理によって、ユーザとしては、例えばテレビジョン装置のディスプレイに表示された出力の状態（一次録画のために出力していること、出力先や出力の進捗状況）と、ＢＤレコーダのディスプレイに表示された入力の状態（一次録画していること、出力元や録画の進捗状況）との両者を見ることにより、両機器が連携してコンテンツ処理（一次録画）を行っていることを認識することができることになる。
【００１３】
次に、第二の例では、ＨＤＤレコーダに記録されている録画済みコンテンツをＢＤレコーダにダビングする場合で説明する。この場合、（１´）ＨＤＤレコーダは録画済みコンテンツを保持しており、（２´）当該コンテンツをＢＤレコーダに対してｉ‐ＬＩＮＫなどのインターフェイス０１３１を介して出力する。その際ＨＤＤレコーダは、（３´）ＨＤＤレコーダの機種を識別するための機種識別情報も同じくインターフェイスを介してＢＤレコーダに対して送信する。この機種識別情報の送信の目的は第一の例で述べたところと同じである。また、ＨＤＤレコーダは、コンテンツの出力にかかる動作情報に基づいて、今自身がどのような処理を行っているかを把握している。また、本図では省略しているが、ＨＤＤレコーダもＢＤレコーダからＢＤレコーダの機種識別情報を取得する。そこで、（４´）ＨＤＤレコーダは、この自身の動作情報とＢＤレコーダから取得した機種識別情報に基づいて自身の機器の状態を自身のディスプレイ０１２１に表示するともに、コンテンツの出力の進捗状況についてもディスプレイに表示する。また、上述のＢＤレコーダから取得した機種識別情報に基づいて出力先であるＢＤレコーダの機種もディスプレイに表示する。
一方、ＢＤレコーダは、（５´）ＨＤＤレコーダから出力されたコンテンツを取得して、これを録画（ダビング）する。またその一方で、ＢＤレコーダは、上述のようにＨＤＤレコーダから送信された機種識別情報を受信して取得するとともに、やはり自身の動作情報に基づいて今自身がどのような処理を行っているかを把握しているので、（６´）この機種識別情報と動作情報に基づいて自身の機器の状態（例えば、放送コンテンツを一次録画している状態にあることのほか、どの機種から出力されたコンテンツを録画しているのか、どの程度録画が進捗しているのかといった状態）を例えば自身のディスプレイ０１０１に表示する。そこで、ユーザとしては、やはり第一の例の場合と同じように、自分の所望するコンテンツが正しくＢＤ装置に録画されているこことを認識することができることになる。
【００１４】
図２は、上で述べたディスプレイへの機器状態の表示の具体例を示す図であって、上の第二の例に即したものである。かかる表示を行うための処理の詳細については次の<構成>中で説明することとし、ここでは概要の説明にとどめる。
まず、本図の上側の画面０２２０はＨＤＤレコーダに係るディスプレイへの機器状態の表示例を示す。ただし、図１において述べた例と異なり、本図のディスプレイはＨＤＤレコーダ自身が有するものではなく、ＨＤＤレコーダに接続されたモニター装置の有するディスプレイの例である。このように、ＨＤＤレコーダやＢＤレコーダに係るディスプレイは自身が有するものであっても、他の装置を利用するものであってもよい。また、本図の下側の画面０２００はＢＤレコーダに係るディスプレイ（同様にＢＤレコーダに接続されたモニター装置の有するディスプレイの例である）への機器状態の表示例を示す。本図に示すように、両画面にそれぞれ、自他機器の機種（ＤＶ‐ＡＲＷ１２、ＢＤ‐ＨＤ１００）、処理の状態（ダビング中である旨）、処理の進捗状況（残時間、経過時間）が、同じレイアウトで表示されており、ユーザがこの両画面を見ることで、両機器が連携してコンテンツ処理が行われていることを知ることができる。
【００１５】
<構成>
（電子機器）
まず、本実施例の電子機器の構成について説明する。
図３は、本実施例の電子機器の機能ブロックの一例を示す。本図に示すように、「電子機器」０３００は、「コンテンツ入力部」０３０１と、「機種識別情報取得部」０３０２と、「処理種別情報取得部」０３０３と、「機器状態情報出力部」０３０４とを有する。
本発明における「電子機器」には、他の電子機器とインターフェイスを介して接続され、当該他の電子機器から出力されたコンテンツの入力が可能なものが広く含まれる。例えば、上述の例で示したようなＢＤレコーダなどの録画再生機器のほか、単にコンテンツを受信して記録するだけの機器であってもよい。また、電子機器は録画等の専用機器である必要はなく、パソコンのような汎用装置の記録機能等を用いる場合であってもよい。さらに、コンテンツの種類は映像及び音声を含むコンテンツには限られず、映像のみのコンテンツ（静止画コンテンツなど）であってもよいし、音声のみのコンテンツであってもよいし、文字データなどであってもよい。従って、デジタルカメラやフォトストレージ、音声レコーダなども本発明の電子機器に含まれる。
【００１６】
さらに、ここでいう「コンテンツ」は、日常用語でそう呼んでいるいわゆる視聴して楽しむ内容を含む情報（狭義の「コンテンツ」）に限られず、それ自体がユーザ利用の対象となるデータであればこれを広く含む。即ち、本発明にいう「コンテンツ」は単に「データ」というのとほぼ同義であり、ただ、ユーザ利用の対象とならない専ら機器のデータ処理のための命令データのみを除外する概念である。
また、後述のように、本発明の電子機器は、機器状態情報をディスプレイに出力する機能を有するところ、このためのディスプレイを自身で備えるものであってもよいし、自身ではディスプレイを備えず、外部装置のディスプレイに表示するための出力を行うものであってもよい。
【００１７】
（コンテンツ入力部）
「コンテンツ入力部」は、他の電子機器からコンテンツを取得するためのものである。例えば、図１の例で示したように、他の電子機器であるテレビジョン装置から出力された放送を受信したコンテンツを記録（一次録画）のために取得するとか、他の電子機器であるＨＤＤ装置から出力された録画済みのコンテンツを記録（ダビング）のために取得することなどが該当する。
なお、本実施例の電子機器は、必須構成要素としてはコンテンツの入力機能だけを備えているが、これに加えてコンテンツの出力機能を備えたものであってもよい。例えば、他の電子機器から出力されたコンテンツを入力して記録するとともに、当該記録されたコンテンツを再生のために別の（あるいは元の）他の電子機器に対して出力する機能を有するといったものも、本実施例の電子機器に含まれる。
【００１８】
（機種識別情報取得部）
「機種識別情報取得部」は、コンテンツの入力をする他の電子機器からその電子機器の機種を識別する機種識別情報を取得するように構成されている。「コンテンツの入力をする他の電子機器から（中略）機種識別情報を取得する」とは、コンテンツの入力をする電子機器が、当該コンテンツを出力する他の電子機器から当該他の電子機器の機種識別情報を取得するという意味である。従って、単に電子機器に接続されているだけの機器（即ち、電子機器に対してコンテンツを出力していない機器）から機種識別情報を取得することは含まれない。
「機種識別情報」は、当該他の電子機器の機種を一意的に識別するための文字列、記号列、数字列などで表された情報である。この場合、その機種を示す機種番号・記号そのものを流用してもよいし、別途異なる番号などを付与してもよい。
【００１９】
（処理種別情報取得部）
「処理種別情報取得部」は、機種識別情報とコンテンツ入力部の動作情報とに基づいてコンテンツ処理の種別を示す情報である処理種別情報を取得するように構成されている。
「処理種別情報」が示すコンテンツ処理の種別としては、例えば記録、再生などの別が該当する。
また、「コンテンツ入力部の動作情報」は、入力したコンテンツをどこに出力するか（例えば記録回路ブロックに対して出力するか、再生回路ブロックに対して出力するか）を示すための情報である。なお、この「コンテンツ入力部の動作情報」は、必ずしもコンテンツ入力部から直接取得するものに限られず、制御部から取得するものであってもよい。
【００２０】
（機器状態情報出力部）
「機器状態情報出力部」は、取得した処理種別情報に基づいて処理を説明する情報を含む機器状態情報をディスプレイに出力するように構成されている。
「機器状態情報」は、現在その電子機器がどのようなコンテンツ処理を行っている状態にあるのかを示す情報であり、特に、出力側である他の電子機器の機器状態と正しく連携しているかをユーザに示す上で意味のある情報が該当する。このため、後述の構成に従い、出力側である他の電子機器についても機器状態情報がディスプレイに表示され、これによりユーザが出力側、入力側双方のディスプレイでそれぞれの機器状態を見ることで、電子機器と他の電子機器とが正しく連携しているかを確認することが可能となる。
機器状態情報の具体例としては、このうち必ず含まれる「処理を説明する情報」の例として、例えば、現在電子機器が処理を行っている処理状態が何であるか（記録か再生かなど）、現在電子機器が処理を行っているコンテンツの出力元がどこであるか（どの機種であるかなど）、現在電子機器が行っている処理がどの程度進捗しているのか（処理開始からの経過時間がどれだけかなど）といった情報を挙げることができる。その他、機器状態情報に含まれ得る情報としては、処理中のコンテンツの属性（タイトルや録画日時など）も含まれ得る。これらは、他の電子機器からコンテンツとともに送信されたものを取得することで出力可能である。
【００２１】
（その他）
なお、図示を省略したが、本実施例の電子機器は、自身の機器識別情報を他の電子機器に送信する手段を有していてもよい。これは、後述のように本実施例の他の電子機器が電子機器から機器識別情報を取得するように構成されていることに対応するものである。
【００２２】
（他の電子機器）
次に、本実施例の他の電子機器の構成について説明する。
図１５は、本実施例の他の電子機器の機能ブロックの一例を示す図である。本図に示すように、「他の電子機器」１５１０は、「コンテンツ出力部」１５１１と、「機種識別情報取得部」１５１２と、「処理種別情報取得部」１５１３と、「機器状態情報出力部」１５１４とを有する。
【００２３】
（他の電子機器：コンテンツ出力部、機種識別情報取得部、処理種別情報取得部、機器状態情報出力部）
「コンテンツ出力部」（他の電子機器）は、電子機器に対してコンテンツを出力するためのものである。
「機種識別情報取得部」（他の電子機器）は、前記コンテンツの出力をする相手側となる電子機器からその電子機器の機種識別情報を取得するように構成されている。
「処理種別情報取得部」（他の電子機器）は、機種識別情報とコンテンツ出力部の動作情報とに基づいてコンテンツ処理の種別を示す情報である処理種別情報を取得するように構成されている。
「機器状態情報出力部」（他の電子機器）は、取得した処理種別情報に基づいて処理を説明する情報を含む機器状態情報をディスプレイに出力するように構成されている。
即ち、本実施例の他の電子機器は、電子機器に対してコンテンツを出力するとともに、当該電子機器の機種識別情報を当該電子機器から取得することで、これと自身の動作情報とに基づいて処理種別情報を取得し、さらにこれに基づいて機器状態情報をディスプレイに出力するように構成されている。処理種別情報の取得、機器状態情報の取得のための具体的構成（ハードウェア構成を含む）は、電子機器について述べた構成と共通するので、説明を省略する。
【００２４】
（テーブルを利用して本実施例を実現するための電子機器の例）
次に、本実施例の具体的構成の一例として、機能識別テーブルと処理種別識別テーブルを利用する場合について、電子機器の例で説明する。
図４は、かかるテーブルを利用して本実施例を実現するための電子機器の機能ブロックの一例である。本図に示す「電子機器」０４００は、図３で示した電子機器の構成要件に加え、「機能識別テーブル保持部」０４０５と、「処理種別識別テーブル保持部」０４０６を有する。
【００２５】
（機能識別テーブル保持部：具体的構成の一例）
「機能識別テーブル保持部」は、機能識別テーブルを保持するように構成されている。
「機能識別テーブル」とは、機種識別情報と機能識別情報とを関連付けたテーブルをいう。
「機能識別情報」は、機種識別情報で識別される機種が有する機能を識別するためのものであって、当該機能を一意的に識別するための文字列、記号列、数字列などで表された情報である。ここで「機能」とは、例えば放送コンテンツのストリーム受信機能、コンテンツの録画機能、録画済みコンテンツの再生機能などの区別をいう。
この機能識別情報は、例えば電子機器の機能識別テーブルに工場出荷段階で組み込まれている情報である。また、機能識別テーブルにユーザが追加記録できるように電子機器が構成されていてもよい。
【００２６】
（処理種別識別テーブル保持部：具体的構成の一例）
「処理種別識別テーブル保持部」は、処理種別識別テーブルを保持するように構成されている。
「処理種別識別テーブル」とは、機能識別情報及びコンテンツ入力部の動作情報が、コンテンツ入力部を利用して他の電子機器との間で行われているコンテンツ処理の種別を示す情報と関連付けられたテーブルをいう。つまり、コンテンツを自身に対して送り出している他の電子機器の機能と、自身が現在行っている処理と、が分かれば自身と他の電子機器とで行っている共同作業がどのようなものであるか分かるように構成されている。
【００２７】
（処理種別情報取得部：具体的動作処理の説明）
本図の例における「処理種別情報取得部」０４０３は、自身に対してコンテンツを送り出している他の電子機器から受け取る機種識別情報をキーとして機能識別テーブルを検索する。機能識別テーブルから他の電子機器の機能識別情報が得られれば、得た機能識別情報をキーとして処理種別識別テーブルを検索し自身と他の電子機器との間で行われている共同作業の一部としての自身の役割を示す情報、即ちコンテンツ処理の種別を示す情報を取得するように構成されている。
【００２８】
（テーブルを検索して行う処理のための構成）
そこで次に、これらのテーブルを検索して行う処理のための構成の一例について、以下説明する。ここでは、ＨＤＤレコーダに録画済みのコンテンツをＢＤレコーダにダビングする場合の例を用いながら説明する。
まず、電子機器（ＢＤレコーダ）は、他の電子機器（ＨＤＤレコーダ）から出力される録画済みコンテンツを入力して記録（ダビング）を開始するとともに、ＨＤＤレコーダから送信された機種識別情報も受信して取得する。ここではＨＤＤレコーダの機種識別情報が「ＤＶ‐ＡＲＷ１２」であるとする。
図５は、機能識別テーブルの一例を示す図である。本例では、機種識別情報「ＤＶ‐ＡＲＷ１２」で識別されるＨＤＤレコーダは、その機能として、「記録の再生」機能を有しているものとする。そこで、電子機器がこの「ＤＶ‐ＡＲＷ１２」にかかる機種識別情報を取得すると、電子機器は、このテーブルを参照して、関連付けられた機能が「記録の再生」機能であることを知ることになる。
【００２９】
次に、処理種別識別情報取得部は、処理種別識別テーブルの検索を、取得済みの機能識別情報である「記録の再生」及びコンテンツ入力部の動作情報である「記録」をキーとして行う。
なお、自身の動作情報である「記録」という動作情報は電子機器自身が当然に認識することが可能なものである。例えば、このダビングを行うためにユーザがＢＤレコーダのリモコン操作などにより録画ボタンを押下すると、ＢＤレコーダが当該入力を受け付けて記録処理を開始するが、この入力受付けにより、ＢＤレコーダ自身が、自らの動作情報が「記録」であることを認識できることとなる。さらに一般には電子機器が自身の制御情報を管理する回路ブロックを有するのが家庭用の電子機器においては通常であるので、この管理されている制御情報を利用して自身の動作情報を取得するように構成するとよい。
【００３０】
図６は、処理種別識別テーブルの一例を示す図である。本例のテーブルは、機種に応じて複数枚のシートからなる。本図に示すシートは、テーブルのうち「機能識別情報」０６０１が「記録の再生」であり、「コンテンツ入力部の動作情報」０６０２が「記録」である場合のシートの例である。本図の例では、上の機能識別情報及びコンテンツ入力部の動作情報に対応する「コンテンツ入力部を利用して他の電子機器との間で行われているコンテンツ処理の種別を示す情報」０６０３として、「処理内容はダビング」という処理種別情報が関連付けられている。
従って電子機器は、自身のコンテンツ処理の内容は「ダビング」であることを認識できることになる。また別の例としては、他の電子機器が放送ストリームの受信機能のみを有している場合には、自身の動作情報である「記録」場合の処理識別情報は、「一次録画」ということになる。このように、本例では、他の電子機器が有する機能と自身の動作情報から処理種別情報として自身がどのような処理状態にあるか（ダビングか一次録画かなど）を認識することができる点に特徴がある。
【００３１】
次に、電子機器は、この取得した処理種別情報に基づいて、処理を説明する情報を含む機器状態情報をディスプレイに出力する処理を行う。その際、処理種別情報のみに基づいて「処理内容はダビングであることの表示」だけを行ってもよいし、又はこれに加えて動作情報に基づく「ダビングの進捗状況の表示」や機種識別情報取得部が取得した機種識別情報に基づく「出力元はＤＶ‐ＡＲＷ１２であることの表示」を加えてもよい（なお、進捗状況の表示のための具体的構成については別の実施例において後述する）。
【００３２】
以上では、構成の基本的概念をわかりやすく説明するため、他の電子機器の機能が単一機能の場合で説明した。この点、他の電子機器の機能が複数（例えば記録機能と受信機能）ある場合でも処理のプロセスは同じである。
図１８は、参考までに、一般的に考えられる他の電子機器の種類１８０１に応じた「他の電子機器の機能」１８０２及び「電子機器の動作」１８０３と、これに関連付けられる「処理の種別」１８０４との組み合わせの例を示したものである（なお、電子機器はＢＤレコーダの例である）。
【００３３】
（表示画面の一例）
以上で、本実施例の電子機器における処理のための構成について一通り説明したので、ここで改めてディスプレイに表示される表示画面の一例を、この処理との関係がわかるような形で、前出の図２を用いて説明する。
図２に示す例では、上側に示す画面は出力側、即ち「他の電子機器」であるＨＤＤレコーダのディスプレイ０２２０における表示状況であり、下側に示す画面は入力側、即ち「電子機器」であるＢＤレコーダのディスプレイ０２００における表示状況である（なお、既述のように、このディスプレイはＨＤＤレコーダ、ＢＤレコーダ自身が備えるものであっても、これに接続された他のモニター機器などが有するディスプレイを利用するものであってもよい。本図は後者の例である）。
【００３４】
電子機器のディスプレイには「機器状態情報」が表示されているところ、この機器状態情報は、上述のように処理種別情報に基づくものであって、具体的には、機種識別情報に基づく「出力元はＤＶ‐ＡＲＷ１２であることの表示」及び「処理内容はダビングであることの表示」並びに動作情報に基づいて認識可能な「現在のダビングの進捗状況の表示」である。また、他の電子機器においても、同様の具体的内容からなる機器状態情報が表示される。これは、ユーザが両方のディスプレイを比較してみたときに、両機器が正しく連携しているかどうかがわかるように表示するためである。
【００３５】
本図では、下側に示す電子機器のディスプレイにおいて、「処理内容はダビングであることの表示」として中央やや上寄りに「ｉ．ＬＩＮＫ接続機器からダビングしています」という文字が示されており、その下に機種識別情報に基づいて出力元の機種が「ＤＶ‐ＡＲＷ１２」であることが示されている。また、その下には「現在のダビングの進捗状況の表示」としてダビング開始からの経過時間が全体所要時間に対する比率とともに示されている。
一方、上側に示す「他の電子機器」に係るディスプレイにおいて表示されている当該他の電子機器の機器状態に関する情報は、本例では、出力先の機種がＢＤ‐ＨＤ１００であることを示す情報や、処理内容が電子機器（ＢＤレコーダ）での記録のための録画済みコンテンツの出力、即ちダビングであることを示す情報、また、出力側から見た現在のダビングの進捗状況の表示としてダビング完了までの残時間を全体所要時間に対する比率とともに示す情報である。
【００３６】
またその際に、電子機器は、出力側である他の電子機器（ＨＤＤレコーダ）のディスプレイ等に表示されている機器状態情報（コンテンツの出力先、処理種別、進捗状況）と同じフォーマットを用いて表示するようにしてもよい。このための構成として、電子機器は、予め、他の電子機器の機種ごとに、あるいは必要に応じて機能ごとに、これと同じフォーマットを保持しておくことが考えられる。この場合、電子機器は、上に述べた処理種別情報の取得に係る構成と同様、他の電子機器の機種識別情報や機能識別情報を取得することで、例えば、これらの識別情報とフォーマットを関連付けたテーブルを参照して、どのフォーマットを用いればよいかを判別できることになる。
本図に示す例も、このように二つのディスプレイが同じフォーマットを用いて表示を行っている例である。即ち、同種の情報がほぼ同じような位置に同じようなレイアウトで表示され、また、画面全体のデザイン、色調も統一されている。
このように他の電子機器における表示と電子機器における表示に同じフォーマットを用いることで、ユーザにとっては、画面全体のデザインや色調などを見るだけで表示内容の細部を比較しなくても、出力側と入力側とが正しく連携してコンテンツ処理を行っていることを高い蓋然性をもって知ることが可能となる。このため、もし画面全体のデザインが異なるものが表示された場合には、直ちに録画を中止してやり直すといった対応も可能になる。
【００３７】
（ハードウェア構成）
次に、本実施例の電子機器のハードウェア構成について説明する。
図７は本実施例の電子機器のハードウェア構成の一例を示す概略図である。本図では、図４で示した構成、即ち、電子機器が機能識別テーブル保持部、処理種別識別テーブル保持部を有する構成に即した例で説明する。
本図に示すように、本実施例の電子機器のコンテンツ入力部と、機種識別情報取得部と、機器状態情報出力部は、それぞれ「記憶装置（記録媒体）」０７０１と、「メインメモリ」０７０２と、「ＣＰＵ」０７０３と、「Ｉ／Ｏ」０７０４などから構成される。処理種別情報取得部と、処理種別識別テーブル保持部と、機能識別テーブル保持部は、「記憶装置（記録媒体）」と、「メインメモリ」と、「ＣＰＵ」などから構成される。なお、本実施例の電子機器は、本図に示すように、Ｉ／Ｏを介して「ディスプレイ」０７０５を有していてもよい。これらは「システムバス」０７０６などのデータ通信経路によって相互に接続され、情報の送受信や処理を行う。記憶装置はＣＰＵによって実行される各種プログラムなどを記憶している。またメインメモリは、プログラムがＣＰＵによって実行される際の作業領域であるワーク領域を提供する。また、このメインメモリや記憶装置にはそれぞれ複数のメモリアドレスが割り当てられており、ＣＰＵで実行されるプログラムは、そのメモリアドレスを特定しアクセスすることで相互にデータのやりとりを行い、処理を行うことが可能になっている。本例では機能識別プログラムと、処理種別識別プログラムと、機器状態情報取得プログラムが記憶装置に記憶されており、これらのプログラムは例えば電源投入とともに自動的に記憶装置から読み出されてメインメモリに常駐する。
【００３８】
まず、電子機器が出力元である他の電子機器の機種及び機能を識別するためのハードウェア構成の一例について説明する。この場合、ＣＰＵは、他の電子機器から送信された機種識別情報をＩ／Ｏを介して受信する。受信した機種識別情報はいったんメインメモリに格納される。
一方、電子機器は、予め機能識別テーブルを記憶装置に記憶している。このテーブルは、前述のように、機種識別情報と機能識別情報とを関連付けたテーブルである。そして、ＣＰＵは、上述の処理により機種識別情報を取得してメインメモリに格納すると、機能識別テーブルをメインメモリに読み出していったん格納する。
また、電子機器は、予め処理種別識別テーブルを記憶装置に記憶している。このテーブルは、前述のように、機能識別情報及びコンテンツ入力部の動作情報と、コンテンツ入力部を利用して他の電子機器との間で行われているコンテンツ処理の種別を示す情報とを関連付けたテーブルである。ＣＰＵは、上述の処理により機種識別情報を取得してメインメモリに格納すると、この処理種別識別テーブルもメインメモリに読み出していったん格納する。
【００３９】
次に、ＣＰＵは、動作情報をテーブルの検索のために取得する。動作情報は、電子機器の制御全般を扱う制御プログラムによってメインメモリなどに格納されているのでそれを利用する。また、機能識別テーブルを参照して、取得した機種識別情報と関連付けられている機能識別情報を取得する。
次に、ＣＰＵは、処理種別識別テーブルを参照して、上で取得した動作情報及び機能識別情報に関連付けられている処理種別情報を取得する。取得した処理種別情報もいったんメインメモリに格納する。
次に、ＣＰＵは、取得した処理種別情報に基づいて、機器状態情報を生成して取得する。その際、処理種別情報の内容によっては、内蔵する時計機能を利用して処理を行う（例えば、コンテンツ処理の進捗状況表示のための経過時間の計算）。これにより取得した機器状態情報もいったんメインメモリに格納する。
さらに、ＣＰＵは、取得した機器状態情報をＩ／Ｏを介してディスプレイに対して出力する。これにより、機器状態情報のディスプレイへの表示が可能となる。
【００４０】
<処理の流れ>
図８は、本実施例の電子機器及び他の電子機器における処理の流れの一例を示す図である。
このうち、本図の左側に示すフローは、他の電子機器における処理の流れを示す。本図に示すように、他の電子機器は、まず、電子機器に対してコンテンツの出力を行う（ステップＳ０８０１）。
次に、他の電子機器は、電子機器に対して機種識別情報の送信を行う（ステップＳ０８０２）。
なお、他の電子機器も後述の電子機器と同様に、機器状態情報をディスプレイに表示するために出力がなされる（ステップS０８０３）。これは、当該ディスプレイへの機器状態情報の表示と後述する電子機器におけるディスプレイへの機器状態情報の表示とをユーザが見て、出力側と入力側とが正しく連携してコンテンツ処理がなされていることを知ることができるようにするためである。
以上の処理のうち、ステップＳ０８０１における処理は通例時間がかかる処理であり、この場合ステップＳ０８０２における処理は実際にはステップＳ０８０１の処理中に行われることになる。また、ステップＳ０８０３における処理はその性質上、ステップＳ０８０１の開始後、ステップＳ８０１における処理と並行して継続的に行われることとなる。
【００４１】
次に、本図の右側に示すフローは、電子機器における処理の流れを示す。本図に示すように、電子機器は、まず、コンテンツの入力を行う（ステップＳ０８０４）。この処理は上記のステップＳ０８０１における処理を受けて行われるものである。
次に、電子機器は、機種識別情報の取得を行う（ステップＳ０８０５）。この処理は上記のステップＳ０８０２における処理を受けて行われるものである。
次に、電子機器は、処理種別情報の取得を行う（ステップＳ０８０６）。具体的には、例えばステップＳ０８０５において取得した機種識別情報と、これにより機能識別テーブルを参照して特定された機能識別情報及び動作情報に基づいて、処理種別識別テーブルを参照して処理種別情報を取得する。
次に、電子機器は、機器状態情報の取得を行う（ステップＳ０８０７）。
さらに、電子機器は、機器状態情報をディスプレイに表示するために出力する（ステップＳ０８０８）。
なお、本図は主として電子機器の側から見た処理の流れである。このため、他の電子機器における機種識別情報の取得、処理種別情報の取得、あるいは機器状態情報の取得に係る処理の流れについては図示及び説明を省略するが、これの流れは、電子機器について本図で説明した処理の流れと基本的に同様である。
【００４２】
<効果>
本実施例の発明により、出力側の電子機器と入力側の電子機器とで行われているコンテンツ処理の状態をユーザに対しわかりやすく知らせることができるように表示し、もってユーザが両機器が連携してコンテンツ処理を行っている状態にあることを確認できるようにするために機器状態を出力する機能を備えた電子機器やこれと接続される他の電子機器を提供することが可能となる。具体的には、出力側の電子機器と入力側の電子機器が互いの機種識別情報や機能識別情報をやりとりし、これらに基づく所定の処理を行うことで、それぞれの電子機器の機器状態を示す情報をディスプレイに出力する機能を備えた電子機器やこれと接続される他の電子機器を提供することが可能となる。また、これにより、コンテンツの処理の状態に応じて、例えば一次録画であればそのコンテンツの内容をモニター画面に表示するとか、ダビングであれば進捗状況をグラフィカルに表示するといったことに本発明を利用することも可能となる。
【実施例２】
【００４３】
<概要>
本実施例の電子機器は、他の電子機器からコンテンツを取得するための手段と、前記コンテンツの入力をする他の電子機器からその電子機器の機能を識別する機能識別情報を取得する手段と、機能識別情報とコンテンツ入力手段の動作情報とに基づいてコンテンツ処理の種別を示す情報（処理種別情報）を取得する手段と、取得した処理種別情報に基づいて処理を説明する情報を含む機器状態情報をディスプレイに出力する手段とを有する電子機器である。
また、本実施例の他の電子機器は、コンテンツを出力するための手段と、前記コンテンツの出力をする相手側となる電子機器から機能識別情報を取得する手段と、機能識別情報とコンテンツ出力部の動作情報とに基づいて処理種別情報を取得する手段と、取得した処理種別情報に基づいて処理を説明する情報を含む機器状態情報をディスプレイに出力する手段とを有する他の電子機器である。
つまり、本実施例の電子機器を実施例１の電子機器と比較した場合、実施例１の電子機器は、機器状態情報をディスプレイに出力するための処理に際して、他の電子機器から機種識別情報を取得するほか、必要な場合さらに自ら保持するテーブルを参照して、機能識別情報の取得を行うように構成されているのに対し、本実施例の電子機器は、この機能識別情報を他の電子機器から取得して機器状態情報をディスプレイに出力するための処理を行う点が異なる。本実施例の他の電子機器と実施例１の他の電子機器との異同もこれとパラレルである。
【００４４】
<構成>
（電子機器）
図９は、本実施例の電子機器の機能ブロックの一例を示す。本図に示すように、「電子機器」０９００は、「コンテンツ入力部」０９０１と、「機能識別情報取得部」０９０７と、「処理種別情報取得部」０９０３と、「機器状態情報出力部」０９０４とを有する。
【００４５】
（機能識別情報取得部）
「機能識別情報取得部」は、コンテンツの入力をする他の電子機器からその電子機器の機能を識別する機能識別情報を取得するように構成されている。「コンテンツの入力をする他の電子機器から（中略）機能識別情報を取得する」とは、コンテンツの入力をする電子機器が、当該コンテンツを出力する他の電子機器から当該他の電子機器の機能識別情報を取得するという意味である。
「機能識別情報」は、実施例１で用いた機能識別情報と同義である。
【００４６】
なお、本実施例の電子機器は、（１）他の電子機器から機能識別情報だけを取得し機種識別情報は取得しないように構成されていてもよいが、（２）これとは異なり、他の電子機器から機能識別情報と機種識別情報の双方を取得するように構成されていてもよい。これは、例えば電子機器に複数の他の電子機器が接続されている場合に、これらの複数の他の電子機器の中に互いに同じ種類の機能を有するものがある場合、これらを一意的に区別するためである。
機種識別情報と機能識別情報の双方を利用する場合（上述の（２）に対応する場合）に他の電子機器から送信する情報の構成としては、（Ａ）これら複数の機器にまたがる同一種類の機能を一連の文字列・記号列・数字列などで区別する方法（例えば、全体を通じて通し番号的に「録画機能０１」、「録画機能０２」、「録画機能０３」などとする）と、（Ｂ）機種と機能の組み合わせにより区別する方法（例えば「機種Ａ」の「録画機能０１」、「機種Ａ」の「録画機能０２」、「機種Ｂ」の「録画機能０１」などとする）とが考えられる。
【００４７】
（処理種別情報取得部）
「処理種別情報取得部」は、機能識別情報とコンテンツ入力部の動作情報とに基づいてコンテンツ処理の種別を示す情報を取得するように構成されている。即ち、実施例１の電子機器の処理種別情報取得部とは、機種識別情報ではなく機能識別情報に基づいて処理を行う点が異なる。ただし、実施例１の電子機器でも、既述のように、他の電子機器から取得した機種識別情報に基づいて自身が有する機能識別テーブルを検索して機能識別情報を取得し、これに基づいて処理種別情報を取得する構成も考えられるので、この場合との違いは、機能識別情報を他の電子機器から直接取得する点にあるということになる。従って、本実施例においては、実施例１と異なり、機能識別情報を取得するために機能識別テーブルを検索するといった処理は不要となる。
一方、機能識別情報と動作情報に基づく処理種別情報の取得は、実施例１で述べた例と同様に、例えば、電子機器が保持する処理種別識別テーブルを検索して行われる。
その余の構成は実施例１と共通するので、説明を省略する。
【００４８】
（他の電子機器）
図１６は、本実施例の他の電子機器の機能ブロックの一例を示す図である。本図に示すように、「他の電子機器」１６１０は、「コンテンツ出力部」１６１１と、「機能識別情報取得部」１６１７と、「処理種別情報取得部」１６１３と、「機器状態情報出力部」１６１４とを有する。
【００４９】
（他の電子機器：機能識別情報取得部、処理種別情報取得部）
「機能識別情報取得部」（他の電子機器）は、前記コンテンツの出力をする相手側となる電子機器からその電子機器の機能識別情報を取得するように構成されている。
「処理種別情報取得部」（他の電子機器）は、機能識別情報とコンテンツ出力部の動作情報とに基づいてコンテンツ処理の種別を示す情報を取得するように構成されている。
即ち、本実施例の他の電子機器は、電子機器に対してコンテンツを出力するとともに、当該電子機器の識別識別情報を当該電子機器から取得することで、これと自身の動作情報とに基づいて処理種別情報を取得し、さらにこれに基づいて機器状態情報をディスプレイに出力するように構成されている。処理種別情報の取得、機器状態情報の取得のための具体的構成（ハードウェア構成を含む）は、電子機器の構成と共通するので、説明を省略する。
【００５０】
以上のように、本実施例においても、電子機器とこれに接続される他の電子機器とが、互いにパラレルの機能を有することで、実施例１に述べたところと同様、電子機器と他の電子機器が正しく連携してコンテンツ処理を行っていることがわかるようにディスプレイに表示することが可能となり、ユーザにとってはこのそれぞれのディスプレイの表示を比較することで、かかる正しく連携した処理が行われていることを確認できることとなる。
【００５１】
（ハードウェア構成）
次に、本実施例の電子機器のハードウェア構成について説明する。
図１０は本実施例の電子機器のハードウェア構成の一例を示す概略図である。本実施例の電子機器のハードウェア構成は、基本的に実施例１の電子機器のハードウェア構成と共通する。ここでは、本実施例の電子機器の特徴である、（１）他の電子機器から（機種識別情報ではなく）機能識別情報を取得する点、及び（２）処理種別情報の取得を（機種識別情報ではなく）機能識別情報とコンテンツ入力部の動作情報とに基づいて行う点に係る構成を中心に説明する。その余の構成については説明を省略する。
機能識別情報取得部は、「記憶装置（記録媒体）」１００１と、「メインメモリ」１００２と、「ＣＰＵ」１００３と、「Ｉ／Ｏ」１００４などから構成される。これらも「システムバス」１０１０などのデータ通信経路によって相互に接続され、情報の送受信や処理を行う。
【００５２】
まず、機能識別情報の取得のための構成について説明する。この場合、ＣＰＵは、他の電子機器から送信された機能識別情報をＩ／Ｏを介して受信する。受信した機能識別情報はいったんメインメモリに格納される。
次に、処理種別情報の取得のための構成について説明する。この場合、ＣＰＵは、処理種別識別プログラムの定める手順に従い、まず、機能識別情報を読み出す。次に、ＣＰＵは、動作情報を取得する。
その後における、上で取得した動作情報と機能識別情報とに関連付けられている処理種別情報の取得のための構成は実施例１と同様である。また、その余の構成も、実施例１と同様であるので説明を省略する。
【００５３】
<処理の流れ>
図１１は、本実施例の電子機器及び他の電子機器における処理の流れの一例を示す図である。本実施例の処理の流れは、基本的に実施例１と共通する。
このうち、本図の左側に示すフローは、他の電子機器における処理の流れを示す。本図に示すように、他の電子機器は、電子機器に対して機能識別情報の送信を行う（ステップＳ１１０２）。
その余の処理の流れは実施例１における処理の流れと同様であるので、説明を省略する。
【００５４】
次に、本図の右側に示すフローは、電子機器における処理の流れを示す。本図に示すように、電子機器は、機能識別情報の取得を行う（ステップＳ１１０５）。この処理は上記のステップＳ１１０２における処理を受けて行われるものである。
次に、電子機器は、処理種別情報の取得を行う（ステップＳ１１０６）。具体的には、例えばステップＳ０８０５において取得した機能識別情報及び動作情報に基づいて、処理種別識別テーブルを参照して処理種別情報を取得する。
その余の処理の流れは実施例１における処理の流れと同様であるので、説明を省略する。
なお、本図も主として電子機器の側から見た処理の流れである。このため、他の電子機器における機種識別情報の取得、処理種別情報の取得、あるいは機器状態情報の取得に係る処理の流れについては図示及び説明を省略するが、これの流れは、電子機器について本図で説明した処理の流れと基本的に同様である。
【００５５】
<効果>
本実施例の発明により、出力側の電子機器と入力側の電子機器とで行われているコンテンツ処理の状態をユーザに対しわかりやすく知らせることができるように表示し、もってユーザが両機器が連携してコンテンツ処理を行っている状態にあることを確認できるようにするために機器状態を出力する機能を備えた電子機器やこれと接続される他の電子機器を提供することが可能となる。具体的には、出力側の電子機器と入力側の電子機器が互いの機種識別情報や機能識別情報をやりとりし、これらに基づく所定の処理を行うことで、それぞれの電子機器の機器状態を示す情報をディスプレイに出力する機能を備えた電子機器やこれと接続される他の電子機器を提供することが可能となる。また、これにより、コンテンツの処理の状態に応じて、例えば一次録画であればそのコンテンツの内容をモニター画面に表示するとか、ダビングであれば進捗状況をグラフィカルに表示するといったことに本発明を利用することも可能となる。
【実施例３】
【００５６】
<概要>
本実施例の電子機器は、実施例１又は２の電子機器と基本的に共通する。ただし、本実施例の電子機器は、機器状態情報出力部が、コンテンツ入力部が受け入れたコンテンツの量を示す情報であるコンテンツ入力進捗情報を取得する手段と、前記取得したコンテンツ入力進捗情報に基づいてコンテンツ入力の状況をも示す機器状態情報を出力する手段を有する点に特徴を有する。
また、本実施例の他の電子機器は、実施例１又は２の電子機器と基本的に共通する。ただし、本実施例の他の電子機器は、機器状態情報出力部が、コンテンツ出力部が出力したコンテンツの量を示す情報であるコンテンツ出力進捗情報を取得する手段と、前記取得したコンテンツ出力進捗情報に基づいてコンテンツ出力の状況をも示す機器状態情報を出力する手段を有する点に特徴を有する。
【００５７】
<構成>
（全般）
図１２は、本実施例の電子機器の機能ブロックの一例を示す。本図に示すように、「電子機器」１２００の「機器状態情報出力部」１２０４は、「コンテンツ入力進捗情報取得手段」１２０８と「状況情報出力手段」１２０９とを有する。
【００５８】
（コンテンツ入力進捗情報取得手段）
「コンテンツ入力進捗情報取得手段」は、「コンテンツ入力部」１２０１が受け入れたコンテンツ入力進捗情報を取得するように構成されている。
「コンテンツ入力進捗情報」は、コンテンツの量を示す情報である。具体的には、例えば、コンテンツの処理済みのデータ量そのものであってもよいし、コンテンツ処理の経過時間であってもよい。コンテンツ入力進捗情報を経過時間で表す場合には、例えば、コンテンツのダビングを行うためにユーザがＢＤレコーダのリモコン操作などにより録画ボタンを押下すると、ＢＤレコーダが当該入力を受け付けて記録処理を開始するが、この入力受付けをトリガーとして記録開始からの経過時間を計測することにより得ることができる。
【００５９】
（状況情報出力手段）
「状況情報出力手段」は、前記取得したコンテンツ入力進捗情報に基づいて状況情報を出力するように構成されている。
「状況情報」は、コンテンツ入力の状況をも示す機器状態情報である。「コンテンツの入力の状況」は、例えば、コンテンツ処理が全体の何パーセント進捗したかとか、処理終了までの残時間があと何分あるかといった状況をいう。例えば、図２に示した表示例のように、コンテンツの処理経過時間を処理の所要時間に対する比率とともに示す場合であれば、上述したような電子機器の入力受付けをトリガーとして処理開始からの経過時間を計測するとともに、全体の処理所要時間を予測し（これは例えば他の電子機器から受け取るコンテンツ全体のデータ量及びデータ転送速度に基づいて計算して得られる）、両者の結果に基づいて、表示されるグラフィックにて示される。
その余の構成は、実施例１又は２の電子機器と同様であるから、説明を省略する。
【００６０】
（他の電子機器）
図１７は、本実施例の他の電子機器の機能ブロックの一例を示す図である。本図に示すように、「他の電子機器」１７１０の「機器状態情報出力部」１７１４は、「コンテンツ出力進捗情報取得手段」１７１８と「状況情報出力手段」１７１９とを有する。
【００６１】
（他の電子機器：コンテンツ出力進捗情報取得手段、状況情報出力手段）
「コンテンツ出力進捗情報取得手段」は、コンテンツ出力部が出力したコンテンツの量を示す情報であるコンテンツ出力進捗情報を取得するように構成されている。
「状況情報出力手段」は、前記取得したコンテンツ出力進捗情報に基づいて状況情報を出力するように構成されている。ただし、ここでの「状況情報」は、コンテンツ出力の状況をも示す機器状態情報である。これを出力するための具体的構成は、上で電子機器の状況情報出力手段について説明したところとパラレルである。
また、その余の構成は、実施例１又は２の他の電子機器と同様であるから、説明を省略する。
【００６２】
（ハードウェア構成）
次に、本実施例の電子機器のハードウェア構成について説明する。
図１３は本実施例の電子機器のハードウェア構成の一例を示す概略図である。本実施例の電子機器のハードウェア構成は、基本的に実施例１又は２の電子機器のハードウェア構成と共通する。ここでは、本実施例の電子機器の特徴であるコンテンツ入力進捗情報の取得及び状況情報の出力に係る構成を中心に説明する。その際、表２に示したように、状況情報をコンテンツ処理の経過時間を全体所要時間に対する比率とともに表示する場合の例を念頭に置いて説明する。その余の構成については説明を省略する。
【００６３】
まず、コンテンツ入力進捗情報の取得に係る構成について説明する。この場合、ＣＰＵは、他の電子機器からのコンテンツの入力をＩ／Ｏを介して受け付けると、図示を省略した記録プログラムを実行して記録を開始するとともに、内蔵する時計機能を用いて記録中の時間を計測する。一方、ＣＰＵは入力を受け付けたコンテンツのデータ量などに基づいてコンテンツ処理の全体所要時間を予測し、上記の計時結果と当該全体所要時間とを参照して現在の進捗状況を計算し、その結果をコンテンツ入力進捗情報としてメインメモリにいったん格納する。
【００６４】
次に、状況情報の出力に係る構成について説明する。この場合、ＣＰＵは、前記処理により取得されたコンテンツ入力進捗情報を読み出す。一方、本例では記憶装置に予め状況情報出力プログラムが記憶され、例えば電源投入により既にメインメモリに展開されているので、ＣＰＵは、この状況情報出力プログラムを実行することにより、コンテンツ入力進捗情報をディスプレイにグラフィカルに表示するためのデータに変換して、これをディスプレイに対して出力する。
なお、他の電子機器におけるハードウェア構成は、以上の電子機器の構成とパラレルであるので、説明を省略するが、前にも触れたように、電子機器、他の電子機器に係る二つのディスプレイにおいて、同種の情報がほぼ同じような位置に同じようなレイアウトで表示され、また、画面全体のデザイン、色調も統一されていることが望ましいことから、他の電子機器の状況情報出力プログラムが有する表示のためのフォーマットは、電子機器のそれと同じであることが望ましい。
【００６５】
<処理の流れ>
図１４は、本実施例の電子機器及び他の電子機器における処理の流れの一例を示す図である。本実施例の処理の流れは、基本的に実施例１又は２と共通する。
このうち、本図の右側に示すフローは、電子機器における処理の流れを示す。本図に示すように、機器状態情報の取得ステップＳ１４０７は、コンテンツ入力進捗情報の取得ステップＳ１４０８と、状況情報の取得ステップＳ１４０９の二個のサブステップを有する。
【００６６】
このうち、コンテンツ入力進捗情報の取得ステップＳ１４０８において、電子機器は、コンテンツの入力ステップＳ１４０４において受け入れたコンテンツ入力進捗情報を取得する。
また、状況情報の取得ステップＳ１４０９において、電子機器は、前記ステップＳ１４０８において取得したコンテンツ入力進捗情報に基づいて状況情報を取得する。
さらに、機器状態情報の出力ステップＳ１４１０において、電子機器は、機器状態情報として状況情報の出力を行う。
その余の処理の流れは、本図の左側に示す他の電子機器における処理の流れも含め実施例１又は２における処理の流れと同様であるので、説明を省略する。
なお、本図も主として電子機器の側から見た処理の流れであるが、他の電子機器の側から見た処理の流れは、電子機器について本図で説明した処理の流れと基本的に同様である。
【００６７】
<効果>
本実施例の発明により、出力側の電子機器と入力側の電子機器とで行われているコンテンツ処理の状態をユーザに対しわかりやすく知らせることができるように表示し、もってユーザが両機器が連携してコンテンツ処理を行っている状態にあることを確認できるようにするために機器状態を出力する機能を備えた電子機器やこれと接続される他の電子機器を提供することが可能となる。特に、コンテンツ処理の進捗状況に関する機器状態をそれぞれディスプレイにユーザにわかりやすくグラフィカルに表示することが可能となる。
【図面の簡単な説明】
【００６８】
【図１】実施例１の電子機器、他の電子機器を含む入出力システムの概要の一例を示す図
【図２】ディスプレイへの機器状態の表示の具体例を示す図
【図３】実施例１の電子機器の機能ブロックの一例を示す図
【図４】実施例１の電子機器の機能ブロックの一例を示す図
【図５】機能識別テーブルの一例を示す図
【図６】処理種別識別テーブルの一例を示す概略図
【図７】実施例１の電子機器のハードウェア構成の一例を示す概略図
【図８】実施例１の電子機器における処理の流れの一例を示す図
【図９】実施例２の電子機器の機能ブロックの一例を示す図
【図１０】実施例２の電子機器のハードウェア構成の一例を示す概略図
【図１１】実施例２の電子機器における処理の流れの一例を示す図
【図１２】実施例３の電子機器の機能ブロックの一例を示す図
【図１３】実施例３の電子機器のハードウェア構成の一例を示す概略図
【図１４】実施例３の電子機器における処理の流れの一例を示す図
【図１５】実施例１の他の電子機器の機能ブロックの一例を示す図
【図１６】実施例２の他の電子機器の機能ブロックの一例を示す図
【図１７】実施例３の他の電子機器の機能ブロックの一例を示す図
【図１８】一般的に考えられる他の電子機器の種類に応じた「他の電子機器の機能」及び「電子機器の動作」と、これに関連付けられる「処理の種別」との組み合わせの例を示した図
【符号の説明】
【００６９】
０１００      電子機器（ＢＤレコーダ）
０１０１      ディスプレイ（ＢＤレコーダ）
０１１０      他の電子機器（テレビジョン装置）
０１１１      ディスプレイ（テレビジョン装置）
０１１２      アンテナ
０１２０      他の電子機器（ＨＤＤレコーダ）
０１２１      ディスプレイ（ＨＤＤレコーダ）
０１３０      インターフェイス
０１３１      インターフェイス
０２００      電子機器に係るディスプレイへの機器状態の表示例
０２２０      他の電子機器に係るディスプレイへの機器状態の表示例
０３００      電子機器
０３０１      コンテンツ入力部
０３０２      機種識別情報取得部
０３０３      処理種別情報取得部
０３０４      機器状態情報出力部
１５１０      他の電子機器
１５１１      コンテンツ出力部
１５１２      機種識別情報取得部
１５１３      処理種別情報取得部
１５１４      機器状態情報出力部
【図１】
2008198284.tif 000003
【図２】
2008198284.tif 000004
【図３】
2008198284.tif 000005
【図４】
2008198284.tif 000006
【図５】
2008198284.tif 000007
【図６】
2008198284.tif 000008
【図７】
2008198284.tif 000009
【図８】
2008198284.tif 000010
【図９】
2008198284.tif 000011
【図１０】
2008198284.tif 000012
【図１１】
2008198284.tif 000013
【図１２】
2008198284.tif 000014
【図１３】
2008198284.tif 000015
【図１４】
2008198284.tif 000016
【図１５】
2008198284.tif 000017
【図１６】
2008198284.tif 000018
【図１７】
2008198284.tif 000019
【図１８】
2008198284.tif 000020